(57)【要約】【課題】  写真カメラを小型化及び低コスト化する。【解決手段】  写真カメラの裏蓋１３に、ＬＣＤ１４を取り付けるとともに、このＬＣＤ１４の表示面と反対側の面にフイルム圧板５１を取り付ける。裏蓋１３にＬＣＤ１４の表示画面を露呈させるための表示用開口部５５を形成する。ＬＣＤ１４とフイルム圧板５１との間に、ゴム等の弾性材料から形成され、表示用開口部５５及びＬＣＤ１４を囲うような枠形状の遮光部材５８を設ける。枠形状に形成された遮光部材５８の開口部５８ａが覆われるように、遮光部材５８のカメラ本体１１側の面をフイルム圧板５１に密着させる。フイルム圧板５１をカメラ本体１１に向かう方向に付勢する付勢部材の役割を遮光部材５８が兼ねることができる。写真カメラの部品数及び組立工数を減らせるので、写真カメラを小型化及び低コスト化することができる。【選択図】        図５
2005331587.tif 000002
【特許請求の範囲】
【請求項１】
写真フイルムの撮影光軸方向の位置を規制するフイルム圧板を有する裏蓋と、前記フイルム圧板及び前記裏蓋の間に設けられ、各種情報を表示する表示装置とを備え、前記裏蓋に前記表示装置の表示画面を露呈させる表示用開口部が形成されている写真カメラにおいて、
前記フイルム圧板を前記裏蓋から前記写真フイルムに向かう方向に付勢するとともに、前記表示用開口部から入射される外光及び前記表示装置からの迷光が前記写真フイルムに照射されないように遮る遮光部材を、前記フイルム圧板と前記裏蓋との間に設けたことを特徴とする写真カメラ。
【請求項２】
前記遮光部材は、前記表示用開口部及び前記表示装置を囲うように枠形状に形成されているとともに、前記フイルム圧板は、前記枠形状に形成された前記遮光部材の開口部を覆っていることを特徴とする請求項１記載の写真カメラ。
【請求項３】
前記遮光部材は、弾性材料から形成されていることを特徴とする請求項１または２記載の写真カメラ。
【請求項４】
前記遮光部材は、前記撮影光軸方向に対して伸縮自在な蛇腹形状に形成されていることを特徴とする請求項１ないし３記載の写真カメラ。
【発明の詳細な説明】
【技術分野】
【０００１】
本発明は、写真フイルムの撮影光軸方向の位置を規制するフイルム圧板を有する裏蓋に、表示装置の表示画面を露呈させるための開口が形成されている写真カメラに関するものである。
【背景技術】
【０００２】
簡単に写真フイルムを装填することができるカメラとして、１３５タイプのフイルムパトローネを使用するＤＩＬ（ドロップインローディング）方式の写真カメラがある。このＤＩＬ方式の写真カメラは、カメラの裏蓋（装填蓋ともいう）を開けたときに、パトローネ装填室に連なる装填用開口がカメラの底面に露呈される構造のものが通常である。そして、この露呈された装填用開口からフイルムパトローネを押し込み、裏蓋を閉じると自動的に初期送りが開始されて、写真フイルムがフイルムパトローネから引き出される。引き出された写真フイルムは、裏蓋に圧板バネを介して取り付けられたフイルム圧板と、カメラ本体のアパーチャの上下側に形成されたガイドレールとから形成されるスリット状のフイルム通路を通ってフイルム巻取り室に送り込まれる。この写真フイルムの第１駒目が所定の撮影位置まで搬送されたら、初期送りが終了して、カメラが撮影準備状態となる。
【０００３】
ＤＩＬ方式の写真カメラには、日付、フイルム残り枚数、バッテリ残量などの各種情報を表示させる液晶表示パネル（以下、単にＬＣＤという）を備えたものが多くなっている（特許文献１参照）。このＬＣＤは、その表示画面が裏蓋に形成された表示用開口から露呈するように、裏蓋とフイルム圧板との間に設けられているのが通常であるが、この表示用開口から入射する外光や、ＬＣＤからの迷光が写真フイルムに照射されると、写真フイルムが感光してしまうおそれがある。そのため、裏蓋とフイルム圧板との間に、表示用開口及びＬＣＤを覆うような形状に形成された遮光用の地板を設けて、写真フイルムに外光や迷光が照射されないようにしているのが通常である。
【０００４】
【特許文献１】特開平１１−３０５３０６号公報（第４頁）
【発明の開示】
【発明が解決しようとする課題】
【０００５】
近年、写真カメラの薄型化（小型化）及び低価格化が急激に進んでいる。そのため、カメラ製造メーカでは、カメラの各部品をできる限り低コストに製造するとともに、組立工数を減らすようにしているが、さらなるカメラの小型化及び低コスト化に対応するためには、カメラの部品数を減らす必要がある。特に、前記特許文献１に記載されているようなＬＣＤを備えたカメラは、その分だけ部品数及び組立工数が多くなっているので、他の部品で兼ねられるものは可能な限り兼ねさせることによって、カメラの部品数及び組立工数を減らすことが要請されている。
【０００６】
本発明は上記課題を解決するためのものであり、他の部品で兼ねられるものは可能な限り兼ねさせることで、小型化及び低コスト化できるようにした写真カメラを提供することを目的とする。
【課題を解決するための手段】
【０００７】
本発明は、写真フイルムの撮影光軸方向の位置を規制するフイルム圧板を有する裏蓋と、前記フイルム圧板及び前記裏蓋の間に設けられ、各種情報を表示する表示装置とを備え、前記裏蓋に前記表示装置の表示画面を露呈させる表示用開口部が形成されている写真カメラにおいて、前記フイルム圧板を前記裏蓋から前記写真フイルムに向かう方向に付勢するとともに、前記表示用開口部から入射される外光及び前記表示装置からの迷光が前記写真フイルムに照射されないように遮る遮光部材を、前記フイルム圧板と前記裏蓋との間に設けたことを特徴とする。
【０００８】
また、前記遮光部材は、前記表示用開口部及び前記表示装置を囲うように枠形状に形成されているとともに、前記フイルム圧板は、前記枠形状に形成された前記遮光部材の開口部を覆っていることが好ましい。また、前記遮光部材は、弾性材料から形成されていることが好ましい。さらに、前記遮光部材は、前記撮影光軸方向に対して伸縮自在な蛇腹形状に形成されていることが好ましい。
【発明の効果】
【０００９】
本発明の写真カメラは、写真フイルムの撮影光軸方向の位置を規制するフイルム圧板を有する裏蓋と、前記フイルム圧板及び前記裏蓋の間に設けられ、各種情報を表示する表示装置とを備え、前記裏蓋に前記表示装置の表示画面を露呈させる表示用開口部が形成されているとともに、前記フイルム圧板を前記裏蓋から前記写真フイルムに向かう方向に付勢しつつ、前記表示用開口部から入射される外光及び前記表示装置からの迷光が前記写真フイルムに照射されないように遮る遮光部材を、前記フイルム圧板と前記裏蓋との間に設けるようにしたので、前記遮光部材で前記フイルム圧板を前記写真フイルムに向かう方向に付勢することができる。その結果、前記フイルム圧板を付勢する圧板バネ等の付勢部材の役割（機能）を前記遮光部材が兼ねられるので、写真カメラの部品数及び組立工数を減らすことが可能となる。これにより、写真カメラを小型化及び低コスト化することができる。
【発明を実施するための最良の形態】
【００１０】
図１及び図２は、本発明を実施した液晶表示装置付きのＤＩＬ方式の写真カメラ１０の正面斜視図及び背面斜視図を示したものである。写真カメラ１０は、大別して、各種撮影機能部品が組み込まれたカメラ本体１１（図３参照）と、カメラ本体１１の前面を覆うように形成された本体カバー１２と、カメラ本体１１の背面を覆うように形成された裏蓋１３と、前記裏蓋１３のカメラ本体１１側の面に取り付けられ、日付、フイルム残り枚数、バッテリ残量などの各種情報が表示される液晶表示パネル（以下、単にＬＣＤという）１４とから構成されている。
【００１１】
本体カバー１２の前面には、撮影レンズ１６が組み込まれたレンズ鏡筒１７、ストロボ発光部１８、赤目防止用の発光窓１９、自動露出用の測光窓２０、ファインダを構成する対物側ファインダ窓２１、セルフタイマ表示窓２２などが設けられている。レンズ鏡胴１７は、未使用時に本体カバー１２の内部に収納された収納位置と、撮影時に本体カバー１２から突出した突出位置との間で移動可能になっている。
【００１２】
本体カバー１２の上面にはレリーズボタン２４が設けられている。また、本体カバー１２の背面には、ファインダを構成する接眼ファインダ窓２５の他、図示は省略するが、電源スイッチや各種設定を行う操作キー等が設けられ、本体カバー１２の側面には、後述する裏蓋１３の開閉を行うための裏蓋開閉スイッチ２６が設けられている。
【００１３】
図３に示すように、カメラ本体１１には、レンズ鏡筒１７（図３中では図示を省略）の背面と対面する位置にアパーチャ２８が形成されている。このアパーチャ２８の図中右方向には、フイルムパトローネ３０が装填されるパトローネ装填室３１及び電池室（図示せず）形成され、図中左方向には、フイルムパトローネ３０から引き出された写真フイルム（以下、単にフイルムという）３３を巻き取る巻取り室３４が形成されている。
【００１４】
また、アパーチャ２８の図中上下方向には、アパーチャ２８を挟み込むように、フイルム３３の側端縁をガイドする一対の凸条３６ａ，３６ｂが形成されているとともに、これら凸条３６ａ，３６ｂとアパーチャ２８との間にはフイルム１０の露光面側に接するガイドレール３７ａ，３７ｂが設けられており、後述するフイルム圧板５１との間でフイルム搬送経路を形成する。さらに、凸条３６ａとガイドレール３７ａとの間には、パトローネ装填室３１に装填されたフイルムパトローネ３０からフイルム３３を引き出して、巻取り室３４に送り込むスプロケット３９と、フイルム３３に形成されたパーフォレーション３３ａの数をカウントするパーフォレーションカウンタ（以下、単にカウンタと略称する）４０が設けられている。
【００１５】
フイルムパトローネ３０は、３５ミリフイルムであるフイルム３３がロール状に巻き付けられたスプール３０ａ、及びスプール３０ａを回動自在に内蔵したパトローネ本体３０ｂ等から構成される。また、パトローネ本体３０ｂからは、所定の長さ分だけフイルムリーダ３３ｂが延出している。
【００１６】
パトローネ装填室３１の底面側には、この装填室に連なる装填用開口３１ａが形成されている。そして、フイルムパトローネ３０は、この装填用開口３１ａからそのスプール３０ａ軸方向に装填される。また、このパトローネ装填室３１には、フイルムパトローネ３０の装填時にフイルムリーダ３３ｂを通し、且つ装填されたフイルムパトローネ３０からフイルム３３を送り出すためのスリット４２が形成されている。
【００１７】
巻取り室３４内には、フイルム３０を巻き取るためのスプール４５が設けられている。このスプール４５には、フイルム３０を巻き取るために、パーフォレーション３０ａに噛合する噛合爪３５ａが形成されている。
【００１８】
スプロケット３９には、フイルム３０のパーフォレーション３０ａと噛合するスプロケット歯が複数個設けられ、各スプロケット歯は、パーフォレーション３０ａにずれることなく噛合するように位相が調整されている。また、カウンタ４０としては、反射型のフォトセンサが用いられる。このカウンタ４０の前を通過したパーフォレーション３０ａの数をカウントすることで、写真撮影時の駒送り量を正確に制御することができる。さらに、フイルム初期送り時には、そのカウント数が所定の数に達したら、フイルムリーダ３０ｂが巻取り室３４内のスプール４５に巻き取られ、フイルム３０の第１駒目が所定の撮影位置に搬送されたことがわかる。
【００１９】
裏蓋１３は、フイルムパトローネ３０を装填、或いは取り出しをする際に開閉される装填蓋であり、カメラ本体１１にヒンジ部４７を介して取り付けられている。ヒンジ部４７は、カメラ本体１１に形成されたヒンジ軸４８と、裏蓋１３に形成されたヒンジ受け部４９とから構成される。裏蓋１３は、ヒンジ部４７を中心として、カメラ本体１１の背面を覆うとともに、この裏蓋１３に形成された底蓋１３ａが装填用開口３１ａを覆った閉じ位置と、フイルムパトローネ３０装填時に装填用開口３１ａを露呈させた開き位置との間で自在に回動させられる。裏蓋１３は、フイルムパトローネ３０装填時以外は、閉じ位置でカメラ本体１１に固定され、上述の裏蓋開閉スイッチ２６を撮影者が操作したときのみ、開き位置に回動させることができる。そして、装填用開口３１ａからフイルムパトローネ３０を装填して、この裏蓋１３を閉じ位置に回動させた後に、裏蓋１３をカメラ本体１１に固定するように裏蓋開閉スイッチ２６を操作すると、図示しないセンサがこれを検知して、フイルム３０の初期送りが開始される。
【００２０】
図４、図５及び図６に示すように、裏蓋１３のカメラ本体１１側の面には、上述のＬＣＤ１４の他に、フイルム圧板５１取付け用の爪部材５２ａ，５２ｂが設けられており、これら爪部材５２ａ，５２ｂにより、フイルム圧板５１がＬＣＤ１４の表示面と反対の面側に取り付けられている。また、裏蓋１３の裏面側には、図示は省略するが、フイルム３３を巻取り室３４内のスプール４５に押し付けて、確実に巻き取らせるための押しバネ（図示せず）等が設けられている。ここで、図４は、裏蓋１３をカメラ本体１１側から見た斜視図であり、図５は裏蓋１３の分解斜視図であり、図６は裏蓋１３の断面図である。
【００２１】
ＬＣＤ１４は、裏蓋１３とフイルム圧板５１との間に設けられ、液晶パネル及び光源からなるＬＣＤ本体１４ａと、このＬＣＤ本体１４ａの表示画面を保護するカバーガラス１４ｂとから構成されている。裏蓋１３には、カバーガラス１４ｂを介してＬＣＤ本体１４ａの表示画面を露呈させるための表示用開口部５５（図５参照）が形成され、この表示用開口部５５にＬＣＤ１４のカバーガラス１４ｂが嵌合している。
【００２２】
フイルム圧板５１は、裏蓋１３が閉じ位置にあるときに、カメラ本体１１に向かう方向に付勢される。そして、フイルム圧板５１は、上述の凸条３６ａ，３６ｂ及びガイドレール３７ａ，３７ｂ（図３参照）との間でスリット状のフイルム搬送経路を形成しつつ、フイルムパトローネ３０から引き出されたフイルム３３を凸条３６ａ，３６ｂに押さえ付けて、フイルム３３の撮影光軸方向の位置を規制する。このフイルム圧板５１には、上述の爪部材５３に取り付けるための凹部５６ａ，５６ｂが形成されている。
【００２３】
本実施例では、フイルム圧板５１を付勢する圧板バネなどの付勢部材と、裏蓋１３に形成された表示用開口部５５から入射した外光や、ＬＣＤ１４からの迷光がフイルム３３に照射されないように遮る地板などの遮光部材を別々に設けるのではなく、使用する遮光部材の材質を変えることで、フイルム圧板５１をカメラ本体１１に向かう方向に付勢しつつ、外光及び迷光を遮ることができるようにする。つまり、付勢部材の役割（機能）を遮光部材が兼ねるようにする。
【００２４】
具体的には、ゴム等の弾性材料から形成され、表示用開口部５５及びＬＣＤ１４を囲うような枠形状の遮光部材５８を、フイルム圧板５１と裏蓋１３との間に設ける。そして、枠形状に形成された遮光部材５８の開口部５８ａ（図５参照）が覆われるように、遮光部材５８のカメラ本体１１側の面をフイルム圧板５１に接着剤等で密着させる。さらに、フイルム圧板５１を上述の爪部材５２ａ，５２ｂに取り付けたときに、この遮光部材５８の裏蓋１３側の面が裏蓋１３に密着するように、遮光部材５８の撮影光軸方向の厚みを調整しておくことで、表示用開口部５５から入射した外光や、ＬＣＤ１４からの迷光が、フイルム３３に照射されないように遮ることができる（図４及び図６参照）。
【００２５】
また、遮光部材５８はゴム等から形成されているため、裏蓋１３が閉じ位置にあるときに、フイルム圧板５１は、遮光部材５８の弾性力でカメラ本体１１に向かう方向に付勢される。この際に、フイルムパトローネ３０から引き出されたフイルム３３を、フイルム圧板５１が最適な力で凸条３６ａ，３６ｂに押さえ付けられるように、使用されるフイルム３３の厚みに合わせて、上述の爪部材５２ａ，５２ｂの撮影光軸方向の高さや、遮光部材５８の撮影光軸方向の厚みなどを調整しておく。これにより、フイルム圧板５１を付勢する圧板バネなどの付勢部材の役割を遮光部材５８が兼ねることができる。
【００２６】
次に、上記構成による作用について説明する。撮影者は、パトローネ装填室３１にフイルムパトローネ３０を装填するときは、最初に、裏蓋開閉スイッチ２６（図２及び図３参照）を操作して、裏蓋１３の固定を解除する。次いで、ヒンジ部４７を中心として裏蓋１３を閉じ位置から開き位置に回動させて、装填用開口３１ａを露呈させる。撮影者は、この装填用開口３１ａからフイルムパトローネ３０を装填したら、裏蓋１３を開き位置から閉じ位置に回動させるとともに、裏蓋開閉スイッチ２６を操作して、裏蓋１３をカメラ本体１１に固定する。これと同時に図示しないセンサが裏蓋開閉スイッチ２６の操作を検知して、スプロケット３９の回転が開始され、フイルム３０の初期送りが開始される。
【００２７】
裏蓋１３が閉じ位置にあるときに、フイルム圧板５１は、遮光部材５８の弾性力によりカメラ本体１１に向かう方向に付勢される。その結果、フイルム圧板５１は、上述の凸条３６ａ，３６ｂ及びガイドレール３７ａ，３７ｂとの間でスリット状のフイルム搬送経路を形成するとともに、フイルムパトローネ３０から引き出されたフイルム３３を凸条３６ａ，３６ｂに押さえ付けて、フイルム３３の撮影光軸方向の位置を規制する。そして、フイルム３３のパーフォレーション３３ａの数をカウントするカウンタ４０のカウント数が所定の数に達して、フイルム３５の第１駒目が所定の撮影位置に搬送されたら、スプロケット３９の回転を停止させて、初期送りが完了する。この際に、裏蓋１３の表示用開口部５５から入射した外光や、ＬＣＤ１４からの迷光は、フイルム圧板５１及び遮光部材５８によって、フイルム３３に照射されないように遮られる。その結果、フイルム３３が感光するのを防止できる。
【００２８】
本実施例の写真カメラ１０は、ゴム等の弾性材料から形成され、表示用開口部５５及びＬＣＤ１４を囲うような枠形状の遮光部材５８を、フイルム圧板５１と裏蓋１３との間に設けるとともに、この遮光部材５８の開口部分をフイルム圧板５１で覆うようにしたので、圧板バネなどの付勢部材と、地板などの遮光部材とを別々に設けることなく、１つの遮光部材５８でフイルム圧板５１をカメラ本体１１に向かう方向に付勢しつつ、外光及び迷光を遮ることができる。その結果、付勢部材を取り付ける必要がなくなるので、写真カメラ１０の部品数及び組立工数を減らすことができる。これにより、写真カメラ１０を小型化及び低コスト化することができる。
【００２９】
なお、本実施例では、遮光部材５８をゴム等の弾性材料から形成することで、外光及び迷光がフイルム３３に照射されないように遮りつつ、フイルム圧板５１をカメラ本体１１に向かう方向に付勢できるようにしているが、本発明はこれに限定されるものではなく、フイルム圧板５１を付勢可能であれば、遮光部材として任意の材質のものを用いることができる。以下、本発明の第２の実施例の遮光部材６０について、図７を用いて説明する。なお、遮光部材６０以外の各部材は、第１の実施例の写真カメラ１０と同一のものが用いられているため、同一符号を付して説明は省略する。
【００３０】
図７に示すように、遮光部材６０は、紙またはマイラー等を撮影光軸方向に伸縮自在な蛇腹形状に形成したものであり、遮光部材５８と同様に表示用開口部５５及びＬＣＤ１４を枠形状に囲っている。この遮光部材６０に使用する紙またはマイラーは、遮光性を有するものや、外光や迷光を遮れる厚みのものを用いる。また、紙やマイラーに遮光シートや遮光フイルム等を貼り付けたものを用いてもよい。そして、遮光部材５８（図６参照）と同様に、この遮光部材６０のカメラ本体１１側の面をフイルム圧板５１に接着剤等で接着させるとともに、この遮光部材６０の裏蓋１３側の面が裏蓋１３に密着するように、遮光部材６０の撮影光軸方向の厚さ（長さ）を調整しておく。
【００３１】
遮光部材５８（図６参照）のように弾性材料から形成されていなくとも、紙やマイラー等を蛇腹形状に形成することで、その弾性力を利用してフイルム圧板５１をカメラ本体１１に向かう方向に付勢することができる。この場合も１つの遮光部材６０でフイルム圧板５１をカメラ本体１１に向かう方向に付勢しつつ、外光及び迷光を遮ることができるので、写真カメラの部品数及び組立工数を減らすことができる。
【００３２】
また、本実施例では、裏蓋１３にフイルム圧板５１取付け用の爪部材５２ａ，５２ｂが設けられ、これら爪部材５２ａ，５２ｂにフイルム圧板５１を取り付けるようにしているが、本発明はこれに限定されるものではなく、例えば、爪部材５２ａ，５２ｂを設けずに、フイルム圧板５１、遮光部材５８，６０、裏蓋１３をそれぞれ接着剤等で接着させてもよい。
【００３３】
なお、本実施例では、遮光部材５８，６０は、それぞれ表示用開口部５５及びＬＣＤ１４を囲うように矩形の枠形状に形成されているが、本発明はこれに限定されるものではなく、外光及び迷光がフイルム３３に照射されるのを遮りつつ、フイルム圧板５１を付勢できるような形状であれば、任意の枠形状に形成されていてもよい。
【００３４】
また、本実施例では、遮光部材５８を表示用開口部５５及びＬＣＤ１４を枠形状に囲っているが、フイルム圧板５１と裏蓋１３との間に弾性材料より形成された略板状の遮光部材を設けても良い。この場合は、表示用開口部５５及びＬＣＤ１４が遮光部材によって覆われるため、外光及び迷光がフイルム３３に照射されるのを防止できる。また、この板状の遮光部材を弾性材料から形成することで、遮光部材５８と同様にフイルム圧板５１をカメラ本体１１に向かう方向に付勢することができる。
【００３５】
また、本実施例では、日付、フイルム残り枚数、バッテリ残量などの各種情報を表示させる表示装置として、ＬＣＤ１４を用いたが、本発明はこれに限定されるものではなく、有機または無機エレクトロルミネッセンス（ＥＬ）素子を用いたＥＬ表示パネル等の各種表示パネルを用いてもよい。
【図面の簡単な説明】
【００３６】
【図１】本発明を実施した写真カメラの正面斜視図である。
【図２】写真カメラの背面斜視図である。
【図３】写真カメラの背面斜視図であり、カメラの裏蓋を開き位置に回動させた状態を示した図である。
【図４】裏蓋をカメラ本体側から見た斜視図である。
【図５】裏蓋の分解斜視図である。
【図６】裏蓋の断面図である。
【図７】蛇腹形状に形成された本発明の第２の実施例の遮光部材が取り付けられた裏蓋の断面図である。
【符号の説明】
【００３７】
１０  写真カメラ
１１  カメラ本体
１３  裏蓋
１４  ＬＣＤ
５１  フイルム圧板
５５  表示用開口部
５８  遮光部材
【図１】
2005331587.tif 000003
【図２】
2005331587.tif 000004
【図３】
2005331587.tif 000005
【図４】
2005331587.tif 000006
【図５】
2005331587.tif 000007
【図６】
2005331587.tif 000008
【図７】
2005331587.tif 000009